【手続補正書】
【提出日】平成15年10月23日(2003.10.23)
【手続補正１】
【補正対象書類名】明細書
【補正対象項目名】全文
【補正方法】変更
【補正の内容】
【発明の名称】健康生活支援装置
【特許請求の範囲】
【請求項１】健康生活を実現するための行動実践の前段階として現状を把握するためクライアントに健康カウンセリング情報と質問事項及び健康生活の実施目標の設定を促す情報を送出する手段と、
前記質問に対する回答及び設定した実施目標を受信する手段と、
個人毎の前記質問の回答及び設定した実施目標から分析して、その個人に適した健康生活実現のためのアドバイス情報を出力する手段と、
目標に対しての実施状況の報告を所定期間毎にクライアントから受信する手段と、
前記質問の回答、実施目標、前記実施状況報告の分析を行い、更に新たなアドバイス情報を出力する手段とを備え、
前記クライアントにアドバイス情報を出力する頻度を実施の進行に伴って変更するようにしたことを特徴とする健康生活支援装置。
【請求項２】前記目標に対しての行動実施後の新たなアドバイス情報には、目標実現に向けての励ましの情報を含むことを特徴とする請求項１記載の健康生活支援装置。
【請求項３】前記クライアントに送出する質問事項に付して、所定の数の質問に対する回答毎にワンポイントアドバイスを送出し、前記クライアントが前記所定の数の質問に対する回答を行うと、直ちに回答に応じたワンポイントアドバイスをクライアントの画面に表示するようにしたことを特徴とする請求項１記載の健康生活支援装置。
【請求項４】前記質問の回答の内容、設定された実施目標、前記実施状況報告の分析を行い、分析の結果に応じて前記実施目標の追加及び変更が可能であることを特徴とする請求項１記載の健康生活支援装置。
【請求項５】前記クライアントに出力するアドバイス情報は電子メールで行うことを特徴とする請求項１、請求項２、請求項３又は請求項４記載の健康生活支援装置。
【請求項６】前記目標実施に向けての実施事項の進行状況を表示するマップを備えたことを特徴とする請求項１記載の健康生活支援装置。
【請求項７】前記健康生活実現のための各クライアント個々の情報を保持する個人用ページを備えたことを特徴とする請求項１記載の健康生活支援装置。
【発明の詳細な説明】
【０００１】
【発明の属する技術分野】
この発明は、ネットワーク使用の健康生活支援装置に関する。
【０００２】
【従来の技術】
健康生活を実現し維持するためには、心身を適正な状態に保たねばならない。例えば、体重が大で肥満体の人は適性な体重まで減量せねばならない。また、別に血圧の高い人、血糖値の高い人は、やはり適性値まで下げる必要がある。これら体重、血圧、血糖値等を適正にするためには、個人の努力だけでは実現し難いことが多く、従来、医者や健康生活支援機関が各個人に対し、問診し、その人の現在の健康状況、生活習慣を把握し、その人に見合った目標を設定し、その目的実現に向けての実施プログラムを作成し、各人がその実施プログラムを実行するという手法が提案され、実施されている。
【０００３】
【発明が解決しようとする課題】
上記した従来の健康生活実現のための手法は、問診は単に設問に対し、回答を入力するもので、その繰り返しであり、問診事項が多いと、入力することが煩雑で飽きが来、入力に対する心理的負担感があり、最後まで行かない。また、実行プログラムも単に一方的に実施者に何をするかを伝えるものであり、楽しみが感じられず、目標実現途中で挫折するという問題があった。
【０００４】
この発明は上記問題点に着目してなされたものであって、健康生活実現のため、目標を設定し、その目標に向けての具体的実践事項を負担感なく、楽しく行い得る、そして目標達成度の高い健康生活支援装置を提供することを目的としている。
【０００５】
【課題を解決するための手段】
この発明の健康生活支援装置は、健康生活を実現するための行動実践の前段階として現状を把握するためのクライアントに健康カウンセリング情報と質問事項及び健康生活の実施目標の設定を促す情報を送出する手段と、前記質問に対する回答及び設定した実施目標を受信する手段と、個人毎の前記質問の回答及び設定した実施目標から分析して、その個人に適した健康生活実現のためのアドバイス情報を出力する手段と、目標に対しての実施状況の報告を所定期間毎にクライアントから受信する手段と、前記質問の回答、実施目標、前記実施状況報告の分析を行い、更に新たなアドバイス情報を出力する手段を備え、クライアントにアドバイス情報を出力する頻度を実施の進行に伴って変更するようにしている。
ここで言う回答には、回答内容、回答頻度、回答までの時間等を含むものである。更に、実施状況報告には、達成度を含むものである。
【０００６】
この発明の健康生活支援装置では、クライアントに送出する質問に連動して、クライアントが全ての質問に回答するのを待たずに、クライアントが所定の数の質問に回答を終了したら、直ちに回答に応じたワンポイントアドバイスをクライアントの画面に表示することができるアドバイス情報を出力する手段を備えている。
【０００７】
また、この発明の健康生活支援装置では、クライアントからの回答、クライアントが設定した実施目標の妥当性、実施状況を分析し、クライアントの健康生活の実施状況、即ち目標に対する達成度合い、あるいは設定された実施目標の妥当性に応じて、クライアントの実施目標の追加及び変更ができるアドバイス情報を出力する手段を備えている。
【０００８】
この発明の健康生活支援装置では、装置より、先ずクライアントに対し、健康生活を実現するための実践の前段階として、現状を把握するため健康カウンセリング情報と質問事項を与える。クライアントは、これらの情報により、生活習慣の実状を把握し、見直し、かつ質問事項に対する回答を装置に入力し、目標行動の設定を行う。装置は、入力された質問の回答、及び設定した目標から分析して、その個人に適した健康生活実現のためのアドバイス情報を出力する。このアドバイス情報には、健康生活を始めるきっかけを与える情報を含むものである。クライアントは、これらのアドバイス情報とともに、目標に向けてプログラムに従った実践を行い、その実施状況の結果を所定期間毎に報告する。装置は前記の質問回答、行動目標に実施状況結果報告の分析を行い、更に新たなアドバイス情報を出力する。この新たなアドバイス情報には、クライアントの健康生活の実践を始めてからの疑問点に対する回答と、クライアントが健康生活の実践を始められない場合の対処方法と、クライアントが健康生活を実践継続するための正しい知識、並びにクライアントが健康生活の実践を中断した場合の怖さと、中断への対処方法を与える情報を含むものである。
【０００９】
また、この新たなアドバイス情報には、クライアントからの回答、実施目標、実施状況を分析した結果、クライアント個人に最適な健康生活実現のためのアドバイス情報とともに、前記アドバイス情報に関連した情報も付記されていることが特徴である。以上のやり取りを装置とクライアントの間で、実践終了の時まで繰り返す。
【００１０】
【発明の実施の形態】
以下、実施の形態により、この発明をさらに詳細に説明する。図１は、この発明が実施される健康生活支援システムの機器構成を示すブロック図である。この実施形態健康生活支援システムは、システムサーバー（健康生活支援装置）１と、クライアントパソコン２-1、２-2、……、２-nがインターネット３により接続されて、構成されている。システムサーバー１は、健康カウンセリング情報、質問事項、健康生活の実施目標の設定を促す情報を送出する機能、回答及び実施目標、実施状況を受信する機能、アドバイス情報を出力する機能、質問の回答、実施目標、実施状況報告の分析を行い、新たなアドバイス情報を出力する機能を備えている。
【００１１】
この実施形態健康生活支援システムでは、システムサーバー１は、あるクライアントからクライアントパソコン２ｉにより登録の申し込みを受けると、種々の質問事項、アドバイス等が記載された画像を、そのクライアントパソコン２ｉに送り、クライアントはクライアントパソコン２ｉの画面上の質問等に回答するようになっている。クライアントからの登録の申し込みは、健康関連の商品１台に１枚の申し込みカードが付いており、その健康商品を購入したクライアントが申し込みカードの登録番号で行うようにしてもよい。
【００１２】
このシステムにおける健康生活実現のためのプログラムは、体重減量のためのプログラムであり、登録がなされると、健康生活支援装置１は最初の段階でプレゼンテーション及びチェックを行い、目標設定し、それに対するパーソナルアドバイスを出し、その個人が実践を開始すると励まし、空腹の克服、ストレスの対処等のメールを送る。このメールは、メールと関連するウェブ（Ｗｅｂ）ページのＵＲＬとともにＷｅｂページが連動するように送付する。
【００１３】
次に、健康生活支援装置１は１ヶ月後にカウンセリングとチェックを行い、効果の確認及び目標の見直しを行い、パーソナルアドバイスを出力し、運動・食事の知識提供のメールを送る。続いて、健康生活支援装置１は２ヶ月後にカウンセリングとチェックを行い、クライアントの目標達成の状況に応じて、体重の目標を達成できそうにないクライアントに対する問題と対処方法の検討及び今後の目標を設定して、パーソナルアドバイスを出力し、知識チェック等のメールを送る。
【００１４】
最後に、健康生活支援装置１は３ヶ月後にカウンセリングとチェックを行い、振り返りと維持継続のため、実践記録であるダイエットレポートを含むアドバイスを出力する。
【００１５】
次に、上記の一連の処理の具体例を図２、図３に示すクライアントと健康生活支援装置１間の情報の授受の流れ図に沿って説明する。図２、図３の流れ図では、図４から図３３に示す画面が使用される。登録後、クライアントパソコン２ｉの画面には、図４の画像が表示される。これは“習慣を変えるのはあなたです”のプレゼンテーションの内容である。この画面では更に“習慣を変え、行動をおこすために確実で有効な方法があります。それは（１）生活を見直し、（２）具体的に変える行動を目標として、（３）記録を取りながら実行し続ける、ことです。更にきっかけや環境を整えたり、上手に自分を励ますと目標行動が実行し易くなります。これらは行動科学で実証された新しい心理作戦です。”の記載がある。クライアントは、この画面からプログラム実践のための処理に入って行く。
【００１６】
図５から図９に示す画面により、先ず健康カウンセリングＳｔｅｐ−１を説明する。図５は、健康カウンセリングＳｔｅｐ−１のクライアントパソコン２ｉの表示画像であり、ここでは“体重をコントロールするということ”の意味及びプレゼンテーションと、“あなたは体重をどうしたいですか”、“体重コントロールの目標は何ですか”等、６項目の質問が表示されている。クライアントは、この６項目の質問について、クライアントパソコン２ｉに回答を入力する。クライアントパソコン２ｉに入力された回答は、システムサーバー１に送られる。
【００１７】
図６は、健康カウンセリングＳｔｅｐ−１の次ページのクライアントパソコン２ｉ上の表示画像であり、ここでは“内臓脂肪がターゲットです”の記載及び体格係数ＢＭＩの説明、現在の体型は、この１年間の体重変化の２項目の質問、更にワンポイントアドバイスが記載されている。クライアントは質問に答え、身長、体重、体脂肪率、ウエスト、ヒップをクライアントパソコン２ｉに入力する。ワンポイントアドバイスの欄には、質問Ｑ7 、Ｑ8 の回答に対応したアドバイスが回答後、直ちに表示される。このように、質問の回答に対し、直ちにアドバイスが表示されるので、クライアントは飽きることなく、最後まで質問へ回答を続けることができ、達成度向上も期待できる。
【００１８】
健康カウンセリングＳｔｅｐ−１における更に次のページの質問、ワンポイントアドバイスのクライアントパソコン２ｉの画像としては、図７に示す“体重コントロールの目標を決めましょう”がある。ここでは、標準体重、ベスト体重の説明、プレゼンテーション及び“３ヶ月後になりたい体重は”の質問、及び回答後のワンポイントアドバイスが表示される。質問に対し、クライアントは目標とする体重、体脂肪率、ウエストをクライアントパソコン２ｉに入力する。ワンポイントアドバイスの欄は、入力した目標に応じたアドバイスを表示する。
【００１９】
この他に、健康カウンセリングＳｔｅｐ−１の他のクライアントパソコン２ｉ上の画像としては、“食事のルール”、“運動のルール”、“出来ることを探して続ける”、“食事の目標を決める”、“運動の目標を決める”がある。図８は“出来ることを探して続ける”の画像である。ここでは、“出来ることを探して続ける”ことのプレゼンテーションと、質問、今欲しい物は、してみたいことは、が表示されている。クライアントは、この質問の答えをクライアントパソコン２ｉに入力する。
【００２０】
次に、健康カウンセリングＳｔｅｐ−１における質問に対する回答、目標設定に対するアドバイスが健康生活支援装置１からクライアントパソコン２ｉに対して送られる。図９から図１３に示すクライアントパソコン２ｉ上の画面により、このアドバイスについて説明する。図９は、健康カウンセリングＳｔｅｐ−１における“アドバイスをお送りします”の画像を示している。ここでは、Ｓｔｅｐ−１におけるアドバイスと、減量プラン、つまり体重目標、行動目標を表示する。
【００２１】
図１０は、最初の段階のアドバイス１のクライアントパソコン２ｉ上の表示画像であり、ここでは“アドバイスのエッセンス”の記載、減量の目標、生活と目標行動のアドバイスのエッセンスが記載されている。例えば、減量の目標について「健康の維持増進、病気予防をしたい△△さんは『３ヶ月で体重６．５ｋｇの減量、体脂肪率で４．５％の減量』という目標を立てられました。意欲的な減量目標です。これを達成するためには、エネルギーの収支バランスを毎日５４１Ｋｃａｌマイナスにする必要があります。これを上手に食事を減らし、運動を増やすことで達成しましょう。目標行動を増やすことで達成しましょう。目標行動の実行と維持がポイントとなります。」とのアドバイスが表示されている。また、このアドバイスに関連する情報として「減量成功のポイント」が「関連情報」の表示箇所に表示される。
【００２２】
図１１は、アドバイス１の次ページのクライアントパソコン２ｉ上の画像であり、ここでは“減量の目標について”の項目名と、減量目標に対するアドバイス、積極的に減量に挑戦しましょう、及び減量への具体的なアドバイス、更に現在の体格、３ヶ月後の目標とする体格が表示されている。図１２は、アドバイス１の更に次のページのクライアントパソコン２ｉ上の表示画像であり、ここでは“生活習慣と目標”の項目名と、減量は「食事」と「運動」で、食事と運動習慣について、食事の目標、運動の目標の小項目に分けたアドバイスが記載されている。また、このアドバイスに関連する情報として「関連情報」の表示箇所に「お勧めの食事メニュー」と「お勧めの運動ポーズ」が表示される。
【００２３】
図１３は、アドバイス１の更に次のページのクライアントパソコン２ｉ上の表示画像であり、ここでは“目標行動の実践テクニック−１”の項目名と、目標行動「揚げ物は週３回までとする」の記載、更にこれを実現するためのテクニックが記載されている。テクニックの内容は、食べ物を選ぶ時に、例えば毎食のメインディッシュを記録しておき、チェックする。煮る・蒸す・焼くのメニューを主に選ぶ。天ぷら以外の和食・和定食を選ぶようにする、等である。更に、ポイントアドバイスとてし“一口サイズの落とし穴”についてのアドバイスが記載されている。また、このアドバイスに関連する情報として「関連情報」の表示箇所に「料理別低エネルギーメニューの選び方」と「エネルギー（カロリー）ダウン調理法」が表示される。
【００２４】
この他、図示していないが、アドバイス１の以降のページとして“目標行動の実践テクニック−２”の目標行動「牛乳、ヨーグルトを低脂肪にする」、“目標行動の実践テクニック−３”の目標行動「アルコールの量を１日１杯までにする」、“目標行動の実践テクニック−４”の目標行動「１日２０分以上の早歩き・ウォーキングをする」、“目標行動の実践テクニック−５”の目標行動「ストレッチを１日１５分以上行う」のそれぞれのテクニック及びポイントアドバイスを記載した画面がクライアントパソコン２ｉの画面上に表示される。目標達成のため、クライアントはこれらのクライアントパソコン２ｉの画面上の画像を見て、テクニックに沿った実践を行い、ポイントアドバイスに注意する。他にプロセスＭＡＰの段階では“記録をとりましょう”の画像もクライアントパソコン２ｉの画面上に表示される。
【００２５】
図１４は、最初の段階におけるクライアントパソコン２ｉ上の画面の１つであり、“確認メール”の項目名の表示と、問診の入力に対する慰労とマイページ開設について表示されている。図１５は、次ページの“アドバイスメール１”のクライアントパソコン２ｉ上の画像であり、ここでは、前回のメールから１週間経ちました。どうでしょう。実践は順調でしょうか？実践をはじめているあなたは→１）へ、まだ実践をはじめていないあなたは→２）への表示が、ユーザはそれぞれに応じ、１）実践をはじめている、２）まだ実践をはじめていない、の欄を確認する。そして、それぞれのエリアでリンクしているページを開くことができる。この段階では、更に他のページとして“アドバイスメール３”で食べすぎを防ぐために、今より多く動くために、等の注意事項を示した画像、“アドバイスメール４”で家族や友人などにお願いする役割の具体事項を表示した画像が表示される。
【００２６】
図１６は、“健康カウンセリング２案内メール１”のクライアントパソコン２ｉ上の画像であり、実践を開始してから４週間後の状況のお知らせ依頼と、今後のメールについての説明が記載されており、これまで１週間毎のメールは２週間毎のメールに変更する旨を記載している。このように、最初の１ヶ月間は１週間毎のメールを送付しているに対し、１ヶ月以降は２週間毎に変更しているのは、クライアントは最初の段階では実践、その他に不安をいだいていると推察され、より細かくアドバイス、励ましを行うためである。
【００２７】
開始してから４週間（１ヶ月）が経過すると、健康カウンセリングＳｔｅｐ−２の処理に入る。図１７から図２１に示すクライアントパソコン２ｉ上の画面により、健康カウンセリングＳｔｅｐ−２における処理を説明する。図１７は、開始してから４週間が経過した時点でシステムサーバー１からクライアントパソコン２ｉに送られる画面である。ここでは、開始してから４週間経過後の質問に対し、入力していただくよう求めている。図１８は、健康カウンセリングＳｔｅｐ−２の質問の最初のページのクライアントパソコン２ｉ上の画像を示している。ここでは“実践を振り返りましょう”の項目名に“４週間で目標は、どの程度実践できましたか？１週間毎に入力された結果の平均を表示しています”の表示とともに、食事の目標、運動の目標の実践結果が表示されている。
【００２８】
図１９は、健康カウンセリングＳｔｅｐ−２の次のページのクライアントパソコン２ｉ上の画像を示している。ここでは“変化を評価しましょう”の項目名に“４週間経って変化が現れましたか？うまく行く時は２週間で効果が現れはじめます。今までの記録を見直して、頑張ったところ、よく出来たところ、改善したところを自分で褒めて下さい。体重だけにとらわれず、気持ちや行動、体調の変化にも注目しましょう”の記載及び今の体格は、体調で良くなった変化がありますか、気持ちと行動で良くなった変化がありますかの質問、更にワンポイントアドバイスが記載されている。クライアントは、これらの質問に対する回答をクライアントパソコン２ｉに入力する。
【００２９】
図２０は、健康カウンセリングＳｔｅｐ−２の更に次のページのクライアントパソコン２ｉ上の画像を示している。ここでは“今後の目標を決めましょう”の項目名に「目標見直しのポイント」、更に食事の目標、運動の目標についての質問が記載されている。クライアントは目標の数値変更を行う場合には、その旨をクライアントパソコン２ｉに入力する。図２１は、図２０の画面において、数値変更ボタンを押した時のクライアントパソコン２ｉ上の画像である。
【００３０】
次に、健康カウンセリングＳｔｅｐ−２における質問等に対する回答、報告に対し、健康生活支援装置１からクライアントパソコン２ｉに対して、アドバイスが送られる。図２２から図２４に示すクライアントパソコン２ｉ上の画面により、このアドバイスについて説明する。
【００３１】
図２２は、健康カウンセリングＳｔｅｐ−２の更に次のページのクライアントパソコン２ｉ上の画像を示している。ここでは“アドバイスレポート２をお送りします”の項目名に“２回目の問診の入力お疲れ様でした。この回答を基にあなたの成果の確認と、あなたが決めた目標が妥当か、実行するための工夫などのアドバイスをメールでお届けします。この問診の内容とアドバイスを参考に、実践を続けて下さい”の記載及び減量プランとして、体重目標、行動目標が記載されている。クライアントは、このアドバイスを参考に、１ヶ月経過以降の実践を続けることになる。
【００３２】
図２３は、１ヶ月経過後のアドバイス２のクライアントパソコン２ｉ上の画像を示す。ここでは“目標達成に向けて”の項目名の他に、実践した目標、実践結果、今後、アドバイスが記載され、また成果として体型の変化、体調の良い変化、気持ち・行動の良い変化が記載されている。図２４は１ヶ月経過後のアドバイス２の次のページのクライアントパソコン２ｉ上の画像を示す。ここでは“目標行動の実践テクニック”の項目名に、目標行動「１日○○○○歩以上歩く」の記載、実践テクニックとして具体的に、帰宅時のみバスを徒歩に変える。社内電話は使わずに歩いて行く。近場にはなるべくタクシーを使わずに、歩いて行く。等の歩数を増やすための工夫。１日のスケジュールに歩く時間を入れておく。購入された歩数計を付けて歩き、毎日記録して励みをつける。等の長く続けるための工夫を記載している。
【００３３】
開始したから８週間（２ヶ月）が経過すると、健康カウンセリングＳｔｅｐ−３に入る。図２５、図２６のクライアントパソコン２ｉ上の画面により、このステップでの処理を説明する。
【００３４】
図２５は、開始してから８週間が経過した時点での健康ヒアリングＳｔｅｐ−３のクライアントパソコン２ｉ上の画像である。ここでは“目標は達成できそうですか”の項目名に、今の体格は、４週間後に目標行動を続けて体重の目標を達成できそうですか、最近４週間を振り返り、目標はどの程度実践できましたか、の質問が記載されている。クライアントは、この質問に対する回答をクライアントパソコン２ｉに入力する。
【００３５】
図２５の質問Ｑ2 に対して「達成できない」や「分からない」と回答があった場合は、十分な成果が出ていないことが推察できる。この場合は、健康生活支援装置１はそれぞれ図２６、図２８のクライアントパソコン２ｉ上の画面のような更に細かい質問、アドバイスを送る。
【００３６】
図２６は、健康ヒアリングＳｔｅｐ−３の図２５のクライアントパソコン２ｉ上の画面のＱ２の質問で“出来ない”と答えた場合の次ページの画像を示す。ここでは“問題と対処方法を考えてみましょう”の項目名に「体重の目標は達成できない」とお考えですが、その理由は、食事の目標行動が実践できない方にお聞きします。出来ない理由は何ですか、運動の目標行動が実践出来ていない方にお聞きします。出来ない理由は何ですか、の質問が記載されている。クライアントは、この質問に対する回答をクライアントパソコン２ｉに入力する。質問欄の下方にアドバイスが記載されている。
【００３７】
図２７は、健康ヒアリングＳｔｅｐ−３の更に次のページのクライアントパソコン２ｉ上の画面であって、図２５の画面のＱ２の質問で“分からない”と答えた場合の画像である。ここでは“今後の目標を決めましょう”の項目名に、今度実践する目標を決めましょう、の質問が記載されている。クライアントは、食事の目標、運動の目標についてクライアントパソコン２ｉに入力する。なお、この画面は、図２５のＱ２の回答が“分からない”、“達成できる”、“達成できない”のいずれであったかにより、異なる表示内容となる。図２８は、図２５の画面のＱ２の質問で“分からない”と答えた場合の、図２７のクライアントパソコン２ｉ上の画面に続く画面である。ここでは“失敗しないために”の項目名と、食事で失敗し易い落とし穴はどんな時ですか、運動で失敗し易い落とし穴はどんな時ですか、の質問が記載されている。クライアントは、この質問に対する回答をクライアントパソコン２ｉに入力する。この質問欄の下方に上記質問の回答に応じたアドバイスが記載される。
【００３８】
図２９は、健康カウンセリングＳｔｅｐ−３の更に次のページのクライアントパソコン２ｉ上の画像を示している。ここでは“アドバイス３をお送りします”の項目名と“３回目の問診の入力お疲れ様でした。この回答を基にあなたの成果の確認と、目標のレベルアップの工夫、失敗しないための対策などのアドバイスをメールでお届けします。この問診の内容とアドバイスを参考に実践を続けて下さい。”が記載されている。工夫、対策、アドバイスの内容は、図２５のＱ２の回答が“達成できる”、“達成できない”、“分からない”のいずれであったかにより、異なるものとなる。また、この画面の下方に体重目標、行動目標が減量プランとして記載されている。
【００３９】
開始してから１２週間（３ヶ月）が経過すると、健康カウンセリングＳｔｅｐ−４に入る。図３０から図３３のクライアントパソコン２ｉ上の画面により、このステップでの処理を説明する。
【００４０】
図３０は、開始してから１２週間が経過した時点での健康カウンセリングＳｔｅｐ−４のクライアントパソコン２ｉ上の画像である。ここでは“結果はどうでしたか？”の項目名と“プログラム開始から１２週間経ちました。このプログラムを始める時に決めた目標に対して、どんな結果になったか確認してみましょう”と、今の体格は、４週間で目標はどの程度実践できましたか、の質問が記載されている。クライアントは、この質問に対する回答をクライアントパソコン２ｉに入力する。
【００４１】
図３１は、健康上カウンセリングＳｔｅｐ−４の次のページのクライアントパソコン２ｉ上の画像を示す。ここでは“今後どうするか決めましょう”の項目名と、今後の体重コントロールの実践はどうしますか、の質問が記載されている。クライアントは、この質問に対する回答をクライアントパソコン２ｉに入力する。質問欄の下方に、アドバイス欄を設けられており、回答入力後に、その回答に応じたアドバイスをアドバイス欄に表示する。
【００４２】
図３２は、健康上カウンセリングＳｔｅｐ−４の更に次のページのクライアントパソコン２ｉ上の画像を示す。ここでは“維持するためには”の項目名と、体重を維持するためのポイントとして、危険な時を予測する。運動出来ない時は、出来る範囲で何かを続ける。体重の変動を小幅に抑える。が記載されている。また、質問欄とアドバイス欄が設けられ、質問欄には次に示すような状況で、その対処方法を知っておきたいものがありますか、の質問及びその選択回答事項として、出張や旅行あるいはお盆や正月で生活のペースが乱れる。病気や怪我で運動が出来なくなる。気持ちが滅入って投げやりになる。冠婚葬祭や転居など、生活に変化がある。が記載されている。クライアントは、この質問に対する回答をクライアントパソコン２ｉに入力する。回答入力後に、その回答に応じたアドバイスをアドバイス欄に表示する。
【００４３】
図３３は、健康上カウンセリングＳｔｅｐ−４の更に次のページのクライアントパソコン２ｉ上の画像を示す。この画面には“アドバイスレポート４をお送りします。”の項目名と“これで健康達人減量プログラムは終了します。ただ、これから更にステップアップするためのスタートになります。この３ヶ月間の努力を無駄にすることがないよう、これまで送らせていただいたアドバイスの内容を思い返して下さい。最後に、これまでの実践を振り返ったアドバイスレポート４を送らせていただきます。”の記載がある。
【００４４】
なお、図１０〜図１３及び図２３、図２４のクライアントパソコン２ｉ上の画面では、画面の上部に「アドバイス１」、「アドバイス２」を表示しているが、この箇所に図３４〜図３６に示すプロセスＭＡＰを表示してもよい。
【００４５】
このようなプロセスＭＡＰを表示した実施形態システムでは、一連の健康ヒアリング及び実践ステージを進めて行く過程で、現時点でどこまで進行しているかを画面のプロセスＭＡＰに表示する。最初の健康カウンセリングの生活習慣チェック中の場合は、図３４の（ａ）に示すように、生活習慣チェック表示部が緑色表示される。続いて、プログラムの進行が健康カウンセリングのアドバイスに至ると、図３４の（ｂ）に示すように、アドバイス表示部が緑色、生活習慣表示部を青色表示とする。更に、目標選択までプログラムが進行すると、図３４の（ｃ）に示すように、目標選択表示部を緑色表示とし、それ以前の表示を青色とする。更に、処理が進行し、健康ヒアリングが終了し、実施ステージのメール１に入ると、図３４の（ｄ）に示すように、実施ステージのメール１表示部が緑色となり、それ以前の表示部は青色となる。更に、実施ステージでの進行がメール２、メール３、メール４と進んで行くと、それぞれ図３５の（ｅ）、（ｆ）、（ｇ）のように、メール２表示部、メール３表示部、メール４表示部が緑色となり、それ以前の表示部が青色となる。更に進行し、メール６、メール７、メール８の段階に達すると、それぞれ図３６の（ｊ）、（ｋ）、（ｌ）のように、メール６表示部、メール７表示部、メール８表示部が緑色で表示され、それ以前の表示が青色となる。このように進行につれて表示を変えるので、どの表示部が緑色であるかにより、プログラム実践の現在における進行状況を知ることができる。
【００４６】
なお、上記実施形態では健康生活実現のための実践プログラムとして体重減量を例にあげたが、この発明は他の実践プログラム、例えば血圧降下プログラム、血糖値降下プログラムの実践等にも適用できる。
【００４７】
【発明の効果】
この発明によれば、健康生活を実現するための行動実践の前段階として現状を把握するためクライアントに健康カウンセリング情報と質問事項及び健康生活の実施目標の設定を促す情報を送出する手段と、前記質問に対する回答及び設定した実施目標を受信する手段と、個人毎の前記質問の回答及び設定した実施目標から分析して、その個人に適した健康生活実現のためのアドバイス情報を出力する手段と、目標に対しての実施状況の報告を所定期間毎にクライアントから受信する手段と、前記質問の回答、実施目標、前記実施状況報告の分析を行い、更に新たなアドバイス情報を出力する手段とを備えており、クライアントにアドバイス情報を出力する頻度を実施の進行に伴って変更するようにしているので、クライアントは行動実践開始前に生活習慣を把握し、アドバイスを受けて、その目標に向けて具体的実践事項を負担感なく、楽しく行うことができ、実践の最初の段階ではより細かくアドバイス情報や励ましを受けることにより、中途で実践を止めてしまうことを少なくでき、高い目標達成度を得ることができる。
【図面の簡単な説明】
【図１】この発明が実施される健康生活支援システムの機器構成を示すブロック図である。
【図２】同健康支援システムによるシステムサーバーとクライアント間での処理の流れを示す図である。
【図３】図２とともに、同健康支援システムとクライアント間での処理の流れを示す図である。
【図４】体重減量プログラムを開始する最初にクライアントパソコンに表示される画面を示す図である。
【図５】体重減量プログラムの最初の段階である健康カウンセリングＳｔｅｐ−１の画面を示す図である。
【図６】健康カウンセリングＳｔｅｐ−１の他の画面を示す図である。
【図７】健康カウンセリングＳｔｅｐ−１の更に他の画面を示す図である。
【図８】健康カウンセリングＳｔｅｐ−１の更に他の画面を示す図である。
【図９】健康カウンセリングＳｔｅｐ−１の更に他の画面を示す図である。
【図１０】上記体重減量プログラムの最初の段階におけるアドバイス１の画面を示す図である。
【図１１】同アドバイス１の他の画面を示す図である。
【図１２】同アドバイス１の更に他の画面を示す図である。
【図１３】同アドバイス１の更に他の画面を示す図である。
【図１４】同体重減量プログラムの初期段階での確認メール画面を示す図である。
【図１５】同体重減量プログラムの初期段階でのアドバイスメール１の画面を示す図である。
【図１６】同体重減量プログラムの開始４週間後の健康カウンセリング２案内メール１の画面を示す図である。
【図１７】体重減衰プログラムの開始４週間後の健康カウンセリングの最初に表示される画面を示す図である。
【図１８】健康カウンセリングＳｔｅｐ−２の画面を示す図である。
【図１９】健康カウンセリングＳｔｅｐ−２の他の画面を示す図である。
【図２０】健康カウンセリングＳｔｅｐ−２の更に他の画面を示す図である。
【図２１】健康カウンセリングＳｔｅｐ−２の更に他の画面を示す図である。
【図２２】健康カウンセリングＳｔｅｐ−２の更に他の画面を示す図である。
【図２３】体重減量プログラムの開始１ヶ月後の段階におけるアドバイス２の画面を示す図である。
【図２４】同アドバイス２の他の画面を示す図である。
【図２５】体重減量プログラムの開始８週間後の健康カウンセリングＳｔｅｐ−３の画面を示す図である。
【図２６】健康カウンセリングＳｔｅｐ−３の他の画面を示す図である。
【図２７】健康カウンセリングＳｔｅｐ−３の更に他の画面を示す図である。
【図２８】健康カウンセリングＳｔｅｐ−３の更に他の画面を示す図である。
【図２９】健康カウンセリングＳｔｅｐ−３の更に他の画面を示す図である。
【図３０】体重減量プログラムの開始１２週間後の健康カウンセリングＳｔｅｐ−４の画面を示す図である。
【図３１】健康カウンセリングＳｔｅｐ−４の他の画面を示す図である。
【図３２】健康カウンセリングＳｔｅｐ−４の更に他の画面を示す図である。
【図３３】健康カウンセリングＳｔｅｐ−４の更に他の画面を示す図である。
【図３４】体重減量プログラムの開始後の進行状態の表示例を示す図である。
【図３５】体重減量プログラムの開始後の進行状態の他の表示例を示す図である。
【図３６】体重減量プログラムの開始後の進行状態の更に他の表示例を示す図である。
【符号の説明】
１                システムサーバー
２-1、２-2、２-n  クライアントパソコン
３                ネットワーク